(57)【要約】【課題】デジタル信号出力部とアナログ信号出力部との両方を備える構成において、省電力化を図ることが可能な音声映像出力機器を提供する。【解決手段】この再生装置１（音声映像出力機器）は、デジタル音声信号およびデジタル映像信号を出力するためのデジタルＡＶブロック１４と、アナログ音声信号およびアナログ映像信号を出力するためのアナログＡＶブロック１５と、デジタルＡＶブロック１４へのテレビジョン装置２の接続が検知された際に、アナログ音声信号を出力するか否かを判断するとともに、アナログ音声信号を出力しないと判断した場合に、アナログ映像ブロック１６の機能を停止させる制御を行うように構成されたメイン制御部１０とを備える。【選択図】図３
2013207330.tif 000002
【特許請求の範囲】
【請求項１】
デジタル音声信号およびデジタル映像信号を出力するためのデジタル信号出力部と、
アナログ音声信号およびアナログ映像信号を出力するためのアナログ信号出力部と、
前記デジタル信号出力部への外部機器の接続が検知された際に、前記アナログ音声信号を出力するか否かを判断するとともに、前記アナログ音声信号を出力しないと判断した場合に、前記アナログ映像信号に関する前記アナログ信号出力部の機能を停止させる制御を行うように構成された制御部とを備える、音声映像出力機器。
【請求項２】
前記制御部は、前記アナログ音声信号を出力しないと判断した場合に、前記アナログ映像信号に関する前記アナログ信号出力部の機能と前記アナログ音声信号に関する前記アナログ信号出力部の機能とを停止させる制御を行うように構成されている、請求項１に記載の音声映像出力機器。
【請求項３】
前記制御部は、前記デジタル信号出力部での音声チャンネル数が、前記アナログ信号出力部での音声チャンネル数以上であると判断した場合に、前記アナログ音声信号を出力しないと判断するように構成されている、請求項１または２に記載の音声映像出力機器。
【請求項４】
前記制御部は、前記アナログ信号出力部において設定された第１音声チャンネル数が、再生部により読み出されて前記アナログ信号出力部に入力される音声信号の第２音声チャンネル数以下である場合に、前記第１音声チャンネル数を前記アナログ信号出力部での音声チャンネル数であると判断し、前記第１音声チャンネル数が、前記第２音声チャンネル数より大きい場合に、前記第２音声チャンネル数を前記アナログ信号出力部での音声チャンネル数であると判断するように構成されている、請求項３に記載の音声映像出力機器。
【請求項５】
前記制御部は、前記デジタル信号出力部に接続された前記外部機器から前記デジタル信号出力部での音声チャンネル数を取得するように構成されている、請求項３または４に記載の音声映像出力機器。
【請求項６】
前記外部機器の識別情報と、前記アナログ音声信号に関する前記アナログ信号出力部の機能を停止させるか否かの出力設定情報とを記憶する記憶部をさらに備える、請求項２〜５のいずれか１項に記載の音声映像出力機器。
【請求項７】
前記制御部は、前記アナログ映像信号に関する前記アナログ信号出力部への信号の出力を停止するとともに、前記アナログ映像信号に関する前記アナログ信号出力部への電源供給を切断することによって、前記アナログ映像信号に関する前記アナログ信号出力部の機能を停止させるように構成されている、請求項１〜６のいずれか１項に記載の音声映像出力機器。
【請求項８】
前記アナログ信号出力部は、デジタル映像信号をアナログ映像信号に変換する映像信号変換部と、前記アナログ映像信号を増幅する映像信号増幅部とを含み、
前記制御部は、前記映像信号変換部および前記映像信号増幅部の機能を停止させることによって、前記アナログ映像信号に関する前記アナログ信号出力部の機能を停止させる制御を行うように構成されている、請求項１〜７のいずれか１項に記載の音声映像出力機器。
【請求項９】
デジタル音声信号およびデジタル映像信号を出力するためのデジタル信号出力部と、アナログ音声信号およびアナログ映像信号を出力するためのアナログ信号出力部とを含む音声映像出力機器と、
前記音声映像出力機器の前記デジタル信号出力部に少なくとも接続される外部機器と、
前記音声映像出力機器の前記デジタル信号出力部への前記外部機器の接続が検知された際に、前記アナログ音声信号を出力するか否かを判断するとともに、前記アナログ音声信号を出力しないと判断した場合に、前記アナログ映像信号に関する前記アナログ信号出力部の機能を停止させる制御を行うように構成された制御部とを備える、音声映像出力システム。
【発明の詳細な説明】
【技術分野】
【０００１】
この発明は、音声映像出力機器および音声映像出力システムに関し、特に、音声信号および映像信号を出力可能な音声映像出力機器および音声映像出力システムに関する。
【背景技術】
【０００２】
従来、音声信号および映像信号を出力可能な音声映像出力機器が知られている（たとえば、特許文献１参照）。
【０００３】
上記特許文献１には、ＡＶ出力装置（外部機器）に接続された再生装置（音声映像出力機器）が開示されている。この再生装置は、コンテンツの音声信号および映像信号を読出し可能な再生手段と、再生手段から入力された音声信号および映像信号をＡＶ出力装置に出力するＡＶデータ出力部と、再生するコンテンツが音声のみのコンテンツの場合、ＡＶ出力装置の映像出力部分の電源供給を切断するコマンドを出力するデッキ状態判別手段と、デッキ状態判別手段のコマンドをＡＶ出力装置に送信するコマンド送信手段とを備えている。これにより、ＡＶデータ出力部から映像信号は出力されるものの、ＡＶ出力装置では映像が表示されないように構成されている。
【０００４】
また、従来では、デジタル映像信号を出力可能なデジタル信号出力部とアナログ映像信号を出力可能なアナログ信号出力部との両方を備える音声映像出力機器も一般的に知られている。
【先行技術文献】
【特許文献】
【０００５】
【特許文献１】特開２００８−５４１５６号公報
【発明の概要】
【発明が解決しようとする課題】
【０００６】
しかしながら、従来の音声映像出力機器では、デジタル信号出力部とアナログ信号出力部との両方から映像信号が出力されるため、音声映像出力機器での消費電力が大きくなるという問題点がある。
【０００７】
この発明は、上記のような課題を解決するためになされたものであり、この発明の１つの目的は、デジタル信号出力部とアナログ信号出力部との両方を備える構成において、省電力化を図ることが可能な音声映像出力機器および音声映像出力システムを提供することである。
【課題を解決するための手段】
【０００８】
この発明の第１の局面による音声映像出力機器は、デジタル音声信号およびデジタル映像信号を出力するためのデジタル信号出力部と、アナログ音声信号およびアナログ映像信号を出力するためのアナログ信号出力部と、デジタル信号出力部への外部機器の接続が検知された際に、アナログ音声信号を出力するか否かを判断するとともに、アナログ音声信号を出力しないと判断した場合に、アナログ映像信号に関するアナログ信号出力部の機能を停止させる制御を行うように構成された制御部とを備える。
【０００９】
この発明の第１の局面による音声映像出力機器では、上記のように、デジタル信号出力部への外部機器の接続が検知された際に、アナログ音声信号を出力するか否かを判断し、アナログ音声信号を出力しないと判断した場合に、アナログ映像信号に関するアナログ信号出力部の機能を停止させる制御を行うように制御部を構成することによって、デジタル信号出力部から外部機器へのデジタル映像信号の出力を確保しながら、アナログ映像信号に関するアナログ信号出力部の機能を停止させて消費電力を小さくすることができる。これにより、デジタル信号出力部とアナログ信号出力部との両方を備える構成において、省電力化を図ることができる。
【００１０】
上記第１の局面による音声映像出力機器において、好ましくは、制御部は、アナログ音声信号を出力しないと判断した場合に、アナログ映像信号に関するアナログ信号出力部の機能とアナログ音声信号に関するアナログ信号出力部の機能とを停止させる制御を行うように構成されている。このように構成すれば、デジタル信号出力部から外部機器へのデジタル映像信号およびデジタル音声信号の出力を確保しながら、アナログ映像信号に関するアナログ信号出力部の機能とアナログ音声信号に関するアナログ信号出力部の機能とを停止させて消費電力を小さくすることができる。これにより、デジタル信号出力部とアナログ信号出力部との両方を備える構成において、より効果的に省電力化を図ることができる。
【００１１】
上記第１の局面による音声映像出力機器において、好ましくは、制御部は、デジタル信号出力部での音声チャンネル数が、アナログ信号出力部での音声チャンネル数以上であると判断した場合に、アナログ音声信号を出力しないと判断するように構成されている。このように構成すれば、デジタル信号出力部での音声チャンネル数とアナログ信号出力部での音声チャンネル数とに基づいて、容易に、アナログ音声信号を出力するか否かを判断することができる。
【００１２】
この場合、好ましくは、制御部は、アナログ信号出力部において設定された第１音声チャンネル数が、再生部により読み出されてアナログ信号出力部に入力される音声信号の第２音声チャンネル数以下である場合に、第１音声チャンネル数をアナログ信号出力部での音声チャンネル数であると判断し、第１音声チャンネル数が、第２音声チャンネル数より大きい場合に、第２音声チャンネル数をアナログ信号出力部での音声チャンネル数であると判断するように構成されている。このように構成すれば、第１音声チャンネル数と第２音声チャンネル数との両方を考慮することによって、より確実に、アナログ音声信号を出力するか否かを判断することができる。
【００１３】
上記音声チャンネル数に基づいてアナログ音声信号を出力しないと判断する構成において、好ましくは、制御部は、デジタル信号出力部に接続された外部機器からデジタル信号出力部での音声チャンネル数を取得するように構成されている。このように構成すれば、デジタル信号出力部での音声チャンネル数を容易に取得することができるので、容易に、アナログ音声信号を出力するか否かを判断することができる。
【００１４】
上記アナログ音声信号を出力するか否かを判断する構成において、好ましくは、外部機器の識別情報と、アナログ音声信号に関するアナログ信号出力部の機能を停止させるか否かの出力設定情報とを記憶する記憶部をさらに備える。このように構成すれば、デジタル信号出力部への外部機器の接続が再度検知された際に、アナログ音声信号を出力するか否かを再度判断することなく、記憶部に記憶された出力設定情報および外部機器の識別情報に基づいて容易にアナログ音声信号に関するアナログ信号出力部の機能を停止させる制御を行うことができる。これにより、制御部の処理負担を軽減することができる。
【００１５】
上記第１の局面による音声映像出力機器において、好ましくは、制御部は、アナログ映像信号に関するアナログ信号出力部への信号の出力を停止するとともに、アナログ映像信号に関するアナログ信号出力部への電源供給を切断することによって、アナログ映像信号に関するアナログ信号出力部の機能を停止させるように構成されている。このように構成すれば、アナログ映像信号に関するアナログ信号出力部への信号の出力の停止と電源供給の切断との両方を行って省電力化を図ることができる。
【００１６】
上記第１の局面による音声映像出力機器において、好ましくは、アナログ信号出力部は、デジタル映像信号をアナログ映像信号に変換する映像信号変換部と、アナログ映像信号を増幅する映像信号増幅部とを含み、制御部は、映像信号変換部および映像信号増幅部の機能を停止させることによって、アナログ映像信号に関するアナログ信号出力部の機能を停止させる制御を行うように構成されている。このように構成すれば、デジタル信号出力部から外部機器へのデジタル映像信号の出力を確保しながら、映像信号変換部と映像信号増幅部との機能を停止させて省電力化を図ることができる。
【００１７】
この発明の第２の局面による音声映像出力システムは、デジタル音声信号およびデジタル映像信号を出力するためのデジタル信号出力部と、アナログ音声信号およびアナログ映像信号を出力するためのアナログ信号出力部とを含む音声映像出力機器と、音声映像出力機器のデジタル信号出力部に少なくとも接続される外部機器と、音声映像出力機器のデジタル信号出力部への外部機器の接続が検知された際に、アナログ音声信号を出力するか否かを判断するとともに、アナログ音声信号を出力しないと判断した場合に、アナログ映像信号に関するアナログ信号出力部の機能を停止させる制御を行うように構成された制御部とを備える。
【００１８】
この発明の第２の局面による音声映像出力システムでは、上記のように、音声映像出力機器のデジタル信号出力部への外部機器の接続が検知された際に、アナログ音声信号を出力するか否かを判断し、アナログ音声信号を出力しないと判断した場合に、アナログ映像信号に関するアナログ信号出力部の機能を停止させる制御を行うように制御部を構成することによって、音声映像出力機器のデジタル信号出力部から外部機器へのデジタル映像信号の出力を確保しながら、アナログ映像信号に関するアナログ信号出力部の機能を停止させて消費電力を小さくすることができる。これにより、デジタル信号出力部とアナログ信号出力部との両方を音声映像出力機器が含む構成において、省電力化を図ることができる。
【発明の効果】
【００１９】
本発明によれば、上記のように、デジタル信号出力部とアナログ信号出力部との両方を備える構成において、省電力化を図ることができる。
【図面の簡単な説明】
【００２０】
【図１】本発明の一実施形態による音声映像出力システムの再生装置の構成を示したブロック図である。
【図２】本発明の一実施形態による音声映像出力システムのテレビジョン装置の構成を示したブロック図である。
【図３】本発明の一実施形態による再生装置の接続時の制御処理フローを示した図である。
【図４】本発明の一実施形態によるアナログＡＶブロックの確認画面を示した図である。
【図５】本発明の一実施形態による再生装置のアナログＡＶブロックの機能が停止した状態を示したブロック図である。
【図６】本発明の一実施形態によるアナログ映像ブロックの確認画面を示した図である。
【図７】本発明の一実施形態による再生装置のアナログ映像ブロックの機能のみが停止した状態を示したブロック図である。
【図８】本発明の一実施形態による表示部に表示される設定画面を示した図である。
【図９】本発明の一実施形態による再生装置の切断時の制御処理フローを示した図である。
【発明を実施するための形態】
【００２１】
以下、本発明の実施形態を図面に基づいて説明する。
【００２２】
まず、図１および図２を参照して、本発明の一実施形態による音声映像出力システム１００の構造について説明する。
【００２３】
本発明の一実施形態による音声映像出力システム１００は、図１に示すように、ＢＤ（Ｂｌｕ−Ｌａｙ  Ｄｉｓｃ（登録商標））、ＨＤＤおよびＤＶＤなどの音声と映像とが記録された記録媒体（図示せず）を再生することが可能な再生装置１と、再生装置１に接続されるテレビジョン装置２および外付スピーカ３とを備えている。なお、再生装置１は、本発明の「音声映像出力機器」の一例であり、テレビジョン装置２は、本発明の「外部機器」の一例である。
【００２４】
再生装置１とテレビジョン装置２とは、図１および図２に示すように、ＨＤＭＩ（Ｈｉｇｈ−Ｄｉｆｉｎｉｔｉｏｎ  ｍｕｌｔｉｍｅｄｉａ  ｉｎｔｅｒｆａｃｅ）ケーブル４によって互いに接続されている。これにより、再生装置１は、テレビジョン装置２にデジタル映像信号とデジタル音声信号とを出力可能に接続されている。また、再生装置１は、テレビジョン装置２にアナログ映像信号を出力可能に別途接続されている。また、再生装置１は、図１に示すように、外付スピーカ３にアナログ音声信号を出力可能に接続されている。
【００２５】
再生装置１は、メイン制御部１０と、再生部１１と、電源回路部１２と、フラッシュメモリ１３とを備えている。なお、メイン制御部１０は、本発明の「制御部」の一例であり、フラッシュメモリ１３は、本発明の「記憶部」の一例である。メイン制御部１０は、ＣＰＵからなり、図示しないコンピュータプログラムを実行することにより再生装置１の全体の動作制御を行うように構成されている。再生部１１は、記録媒体に記憶されたコンテンツに関するデジタル音声信号とデジタル映像信号とを読み出す機能を有している。電源回路部１２は、所定の回路に対する電源供給を切り替える（スイッチングする）機能を有している。フラッシュメモリ１３は、書き換え可能な不揮発性の半導体メモリである。
【００２６】
また、再生装置１は、デジタルＡＶブロック１４と、アナログＡＶブロック１５とを備えている。なお、デジタルＡＶブロック１４およびアナログＡＶブロック１５は、それぞれ、本発明の「デジタル信号出力部」および「アナログ信号出力部」の一例である。デジタルＡＶブロック１４は、デジタル用音声信号制御部１４ａと、映像信号制御部１４ｂと、ＨＤＭＩトランスミッタ１４ｃと、ＨＤＭＩケーブル４が差し込まれるＨＤＭＩ端子１４ｄとを含んでいる。デジタル用音声信号制御部１４ａおよび映像信号制御部１４ｂは、それぞれ、再生部１１により読み出されたデジタル音声信号およびデジタル映像信号を検出する機能を有している。
【００２７】
ＨＤＭＩトランスミッタ１４ｃは、メイン制御部１０の制御に基づいて、テレビジョン装置２とデジタル信号の入出力を行うように構成されている。具体的には、ＨＤＭＩトランスミッタ１４ｃは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のラインによって、デジタル音声信号およびデジタル映像信号をテレビジョン装置２に出力するように構成されている。また、ＨＤＭＩトランスミッタ１４ｃは、ホットプラグのラインによって、ホットプラグ信号がテレビジョン装置２から入力されるとともに、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）信号の入出力が行われるＤＤＣ（Ｄｉｇｉｔａｌ  Ｄａｔａ  Ｃｈａｎｎｅｌ）のラインによって、テレビジョン装置２の音声チャンネル数に関する情報などが入力されるように構成されている。なお、音声チャンネル数とは、スピーカの数とサブウーファの数とで決まる値であり、たとえば、モノラル音声の１チャンネル、ステレオ音声の２チャンネルおよびサラウンド音声の５．１チャンネルなどがある。
【００２８】
また、メイン制御部１０は、ＨＤＭＩトランスミッタ１４ｃを介さずに直接ＨＤＭＩ端子１４ｄに接続されたＣＥＣ（Ｃｏｎｓｕｍｅｒ  Ｅｌｅｃｔｒｏｎｉｃｓ  Ｃｏｎｔｒｏｌ）のラインによって、テレビジョン装置２の後述するメイン制御部２０と直接的にＣＥＣ制御信号の入出力が行われるように構成されており、ＣＥＣ制御信号を用いてテレビジョン装置２の識別情報を入手するように構成されている。また、メイン制御部１０は、入手したテレビジョン装置２の識別情報をフラッシュメモリ１３に記憶するように構成されている。
【００２９】
アナログＡＶブロック１５は、アナログ映像ブロック１６と、アナログ音声ブロック１７とを含んでいる。なお、アナログ映像ブロック１６およびアナログ音声ブロック１７は、それぞれ、本発明の「アナログ映像信号に関するアナログ信号出力部」および「アナログ音声信号に関するアナログ信号出力部」の一例である。アナログ映像ブロック１６は、映像信号変換部１６ａと、映像信号増幅部１６ｂと、テレビジョン装置２に接続される映像信号端子１６ｃとを有している。映像信号変換部１６ａは、デジタル映像信号をアナログ映像信号に変換する機能を有している。映像信号増幅部１６ｂは、映像信号変換部１６ａにより変換されたアナログ映像信号を増幅する機能を有している。
【００３０】
アナログ音声ブロック１７は、アナログ用音声信号制御部１７ａと、音声信号変換部１７ｂと、音声増幅部１７ｃと、外付スピーカ３に接続される音声端子１７ｄとを有している。アナログ用音声信号制御部１７ａは、再生部１１により読み出されたデジタル音声信号を検出する機能を有しており、デジタルＡＶブロック１４のデジタル用音声信号制御部１４ａと同一のデジタル音声信号が出力されるように構成されている。また、音声信号変換部１７ｂは、デジタル音声信号をアナログ音声信号に変換する機能を有している。音声増幅部１７ｃは、音声信号変換部１７ｂにより変換されたアナログ音声信号を増幅する機能を有している。
【００３１】
また、電源回路部１２は、メイン制御部１０の制御に基づいて、映像信号変換部１６ａ、映像信号増幅部１６ｂ、アナログ用音声信号制御部１７ａ、音声信号変換部１７ｂおよび音声増幅部１７ｃに対する電源供給の停止および再開を互いに独立して切り替えることが可能なように構成されている。
【００３２】
また、メイン制御部１０と、アナログ映像ブロック１６の映像信号変換部１６ａおよび映像信号増幅部１６ｂと、アナログ音声ブロック１７のアナログ用音声信号制御部１７ａおよび音声信号変換部１７ｂとは、同一の基板上に形成されることによって、１つのマイコンを形成している。
【００３３】
テレビジョン装置２は、図２に示すように、メイン制御部２０と、ＨＤＭＩトランスミッタ２１と、ＨＤＭＩケーブル４が差し込まれるＨＤＭＩ端子２２と、映像ブロック２３と、音声ブロック２４と、操作部２５とを備えている。メイン制御部２０は、テレビジョン装置２の全体の動作制御を行うように構成されている。ＨＤＭＩトランスミッタ２１は、ＴＭＤＳのラインによって、デジタル音声信号およびデジタル映像信号が再生装置１から入力されるとともに、ＤＤＣのラインによって、テレビジョン装置２の音声チャンネル数に関する情報などを再生装置１に出力するように構成されている。また、メイン制御部２０は、ＨＤＭＩトランスミッタ２１を介さずに直接ＨＤＭＩ端子２２に接続されたＣＥＣのラインによって、ＣＥＣ制御信号の入出力が行われるように構成されている。
【００３４】
映像ブロック２３は、再生装置１から入力されたデジタル映像信号を検出する機能を有する映像信号制御部２３ａと、検出されたデジタル映像信号に基づいて映像が表示される表示部２３ｂと、再生装置１に接続され、再生装置１から入力されたアナログ映像信号を表示部２３ｂに表示するための映像信号入力端子２３ｃとを含んでいる。
【００３５】
音声ブロック２４は、音声信号制御部２４ａと、音声信号変換部２４ｂと、音声信号増幅部２４ｃと、音声が出力されるスピーカ部２４ｄとを有している。音声信号制御部２４ａは、再生装置１から入力されたデジタル音声信号を検出する機能を有している。音声信号変換部２４ｂは、デジタル音声信号をアナログ音声信号に変換する機能を有している。音声信号増幅部２４ｃは、音声信号変換部２４ｂにより変換されたアナログ音声信号を増幅する機能を有している。
【００３６】
操作部２５は、ユーザからの操作を受け付けるインターフェースであり、ユーザによりテレビジョン装置２の操作と、ＣＥＣのラインを介した再生装置１の操作とが行われるように構成されている。
【００３７】
次に、図３〜図８を参照して、再生装置１とテレビジョン装置２とのＨＤＭＩケーブル４による接続が検知された（接続された）際の再生装置１のメイン制御部１０の制御処理フローについて説明する。
【００３８】
まず、図３に示すように、再生装置１のメイン制御部１０により、ステップＳ１において、ＨＤＭＩケーブル４により再生装置１のＨＤＭＩトランスミッタ１４ｃとテレビジョン装置２のＨＤＭＩトランスミッタ２１との接続が検知されたか否かが判断されるとともに、接続が検知されたと判断されるまでこの判断が繰り返される。具体的には、図１および図２に示すように、メイン制御部１０により、テレビジョン装置２からのホットプラグ信号に基づいて、テレビジョン装置２の電源がＯＮ状態か否かが確認されるとともに、テレビジョン装置２からのＣＥＣ制御信号に基づいて、テレビジョン装置２の状態が、再生装置１から入力されたデジタル映像信号およびデジタル音声信号に基づいて映像および音声がそれぞれ表示部２３ｂおよびスピーカ部２４ｄから出力される状態（現在の入力機器として再生装置１が設定されている状態）か否かが確認される。この際、メイン制御部１０により、ＣＥＣ制御信号に基づいてテレビジョン装置２の識別情報も入手されるとともに、入手されたテレビジョン装置２の識別情報がフラッシュメモリ１３に記憶される。
【００３９】
そして、テレビジョン装置２の電源がＯＮ状態で、かつ、テレビジョン装置２において現在の入力機器として再生装置１が設定されている状態である場合に、メイン制御部１０により、再生装置１とテレビジョン装置２との接続が検知されたと判断される。なお、再生装置１とテレビジョン装置２との接続が検知されたと判断された時点で、メイン制御部１０により、デジタル音声信号およびデジタル映像信号が、ＴＭＤＳのラインによって、再生装置１からテレビジョン装置２に出力される制御が行われる。
【００４０】
再生装置１とテレビジョン装置２との接続が検知されたと判断された場合には、メイン制御部１０により、ステップＳ２において、テレビジョン装置２に対する出力設定情報として、アナログＡＶブロック１５の機能を停止するか否かの情報と、アナログ映像ブロック１６の機能を停止するか否かの情報とがフラッシュメモリ１３に記憶されているか否かが判断される。そして、フラッシュメモリ１３に出力設定情報が記憶されていないと判断された場合には、メイン制御部１０により、ステップＳ３において、アナログ音声信号を出力するか否かを判断するために、デジタルＡＶブロック１４での音声チャンネル数（デジタルｃｈ数）がアナログＡＶブロック１５（アナログ音声ブロック１７）での音声チャンネル数（アナログｃｈ数）以上であるか否かが判断される。
【００４１】
具体的には、図１および図２に示すように、メイン制御部１０により、テレビジョン装置２からのＥＤＩＤ信号に基づいて、テレビジョン装置２において出力可能であると設定された音声チャンネル数が取得され、デジタルＡＶブロック１４での音声チャンネル数として用いられる。また、メイン制御部１０により、アナログ音声ブロック１７において出力可能であると設定された第１音声チャンネル数が、再生部１１により読み出されてアナログ音声ブロック１７に入力されるデジタル音声信号の第２音声チャンネル数以下である場合に、第１音声チャンネル数がアナログＡＶブロック１５での音声チャンネル数として用いられ、第１音声チャンネル数が第２音声チャンネル数より大きい場合に、第２音声チャンネル数がアナログＡＶブロック１５での音声チャンネル数として用いられる。
【００４２】
そして、ステップＳ３において、デジタルＡＶブロック１４での音声チャンネル数がアナログＡＶブロック１５での音声チャンネル数以上であると判断された場合には、アナログ音声信号を出力しないと判断される。そして、メイン制御部１０により、ステップＳ４において、図４に示すアナログＡＶブロック１５の機能停止を行うか否かをユーザに選択させるための確認画面がテレビジョン装置２の表示部２３ｂに表示される。この確認画面は、メイン制御部１０の制御によって再生装置１において作成されるとともに、ＨＤＭＩトランスミッタ１４ｃおよびＨＤＭＩトランスミッタ２１を介してテレビジョン装置２に出力され、テレビジョン装置２の表示部２３ｂに表示される。なお、ユーザは、テレビジョン装置２の操作部２５を用いて選択する。
【００４３】
ここで、本実施形態では、メイン制御部１０により、ステップＳ５において、アナログＡＶブロック１５の機能停止を行うと選択されたか否かが判断される。アナログＡＶブロック１５の機能停止を行うと選択された場合には、メイン制御部１０により、ステップＳ６において、アナログ用音声信号制御部１７ａへのデジタル音声信号の出力が停止される。そして、メイン制御部１０により、ステップＳ７において、電源回路部１２に対して、アナログ音声ブロック１７（アナログ用音声信号制御部１７ａ、音声信号変換部１７ｂおよび音声増幅部１７ｃ）への電源供給を停止させる制御が行われる。これにより、アナログ音声ブロック１７の機能が停止されるので、アナログ音声信号の外付スピーカ３への出力が行われない。さらに、メイン制御部１０により、ステップＳ８において、映像信号変換部１６ａへのデジタル映像信号の出力が停止される。そして、メイン制御部１０により、ステップＳ９において、電源回路部１２に対して、アナログ映像ブロック１６（映像信号変換部１６ａおよび映像信号増幅部１６ｂ）への電源供給を停止させる制御が行われる。これにより、アナログ映像ブロック１６の機能が停止されるので、アナログ映像信号のテレビジョン装置２への出力が行われない。
【００４４】
この結果、デジタルＡＶブロック１４での音声チャンネル数がアナログＡＶブロック１５での音声チャンネル数以上である場合、ユーザの操作に基づいて、図５に示すように、メイン制御部１０により、アナログ映像ブロック１６の機能とアナログ音声ブロック１７の機能との両方が停止される。その後、ステップＳ１０に進む。一方、ステップＳ５において、アナログＡＶブロック１５の機能停止を行わないと選択された場合には、ステップＳ１０に進む。
【００４５】
また、ステップＳ３において、デジタルＡＶブロック１４での音声チャンネル数がアナログＡＶブロック１５での音声チャンネル数以上でないと判断された場合には、アナログ音声信号を出力すると判断される。そして、メイン制御部１０により、ステップＳ１１において、図６に示すアナログ映像ブロック１６の機能停止を行うか否かをユーザに選択させるための確認画面がテレビジョン装置２の表示部２３ｂに表示される。その後、メイン制御部１０により、ステップＳ１２において、アナログ映像ブロック１６の機能停止を行うと選択されたか否かが判断される。アナログ映像ブロック１６の機能停止を行うと選択された場合には、メイン制御部１０により、上記したステップＳ８およびステップＳ９の制御が行われる。これにより、アナログ映像ブロック１６の機能が停止される。この結果、デジタルＡＶブロック１４での音声チャンネル数がアナログＡＶブロック１５での音声チャンネル数未満である場合、ユーザの操作に基づいて、図７に示すように、メイン制御部１０により、アナログ映像ブロック１６の機能が停止される一方、アナログ音声ブロック１７の機能は停止されない。その後、ステップＳ１０に進む。一方、ステップＳ１２において、アナログ映像ブロック１６の機能停止を行わないと選択された場合には、ステップＳ１０に進む。
【００４６】
また、ステップＳ２において、フラッシュメモリ１３に出力設定情報が記憶されていると判断された場合には、メイン制御部１０により、ステップＳ１３において、フラッシュメモリ１３の出力設定情報が読み出される。そして、メイン制御部１０により、ステップＳ１４において、テレビジョン装置２に対する出力設定情報として、アナログＡＶブロック１５の機能を停止すると記憶されているか否かが判断される。そして、アナログＡＶブロック１５の機能を停止すると記憶されている場合には、メイン制御部１０により、上記したステップＳ６〜ステップＳ９の制御が行われる。これにより、アナログＡＶブロック１５の機能が停止される。その後、ステップＳ１０に進む。
【００４７】
また、ステップＳ１４において、アナログＡＶブロック１５の機能を停止しないと記憶されている場合には、メイン制御部１０により、ステップＳ１５において、テレビジョン装置２に対する出力設定情報として、アナログ映像ブロック１６の機能を停止すると記憶されているか否かが判断される。そして、アナログ映像ブロック１６の機能を停止すると記憶されている場合には、メイン制御部１０により、上記したステップＳ８およびステップＳ９の制御が行われる。これにより、アナログ映像ブロック１６の機能が停止される。その後、ステップＳ１０に進む。また、アナログＡＶブロック１５およびアナログ映像ブロック１６のいずれの機能も停止しないと記憶されている場合には、メイン制御部１０の制御が終了される。つまり、フラッシュメモリ１３に出力設定情報が記憶されている場合には、デジタルＡＶブロック１４での音声チャンネル数とアナログＡＶブロック１５での音声チャンネル数とに基づくアナログ音声信号を出力するか否かの判断は行われない。
【００４８】
また、メイン制御部１０により、ステップＳ１０において、テレビジョン装置２に対する出力設定情報がフラッシュメモリ１３に記憶されているか否かが判断される。そして、フラッシュメモリ１３に出力設定情報が記憶されていないと判断された場合には、メイン制御部１０により、ステップＳ１６において、アナログＡＶブロック１５の機能を停止するか否かの情報と、アナログ映像ブロック１６の機能を停止するか否かの情報とが、テレビジョン装置２に対する出力設定情報としてフラッシュメモリ１３に記録される。そして、メイン制御部１０の制御が終了される。また、出力設定情報がフラッシュメモリ１３に記憶されている場合には、メイン制御部１０の制御が終了される。なお、フラッシュメモリ１３に記憶された出力設定情報は、図８に示すような設定画面を表示部２３ｂに表示させてユーザに選択させることによって変更されることが可能である。
【００４９】
次に、図９を参照して、再生装置１とテレビジョン装置２とのＨＤＭＩケーブル４による接続が切断された際の再生装置１のメイン制御部１０の制御処理フローについて説明する。
【００５０】
まず、図９に示すように、再生装置１のメイン制御部１０により、ステップＳ２１において、ＨＤＭＩケーブル４による再生装置１のＨＤＭＩトランスミッタ１４ｃとテレビジョン装置２のＨＤＭＩトランスミッタ２１との接続が切断された（検知されなくなった）か否かが判断されるとともに、切断されたと判断されるまでこの判断が繰り返される。具体的には、テレビジョン装置２の電源がＯＮ状態でない場合（ＯＦＦ状態またはスタンバイ状態）、および、テレビジョン装置２において現在の入力機器として再生装置１が設定されていない場合のいずれの場合にも、再生装置１とテレビジョン装置２との接続が切断されたと判断される。
【００５１】
再生装置１とテレビジョン装置２との接続が切断されたと判断された場合には、メイン制御部１０により、ステップＳ２２において、アナログＡＶブロック１５の機能が停止しているか否かが判断される。つまり、アナログ映像ブロック１６とアナログ音声ブロック１７との両方の機能が停止しているか否かが判断される。アナログＡＶブロック１５の機能が停止していると判断された場合には、メイン制御部１０により、ステップＳ２３において、電源回路部１２に対して、アナログ音声ブロック１７への電源供給を再開させる制御が行われる。そして、ステップＳ２４において、アナログ用音声信号制御部１７ａへのデジタル音声信号の出力が再開される。これにより、アナログ音声ブロック１７の機能が再開される。さらに、メイン制御部１０により、ステップＳ２５において、電源回路部１２に対して、アナログ映像ブロック１６への電源供給を再開させる制御が行われる。そして、ステップＳ２６において、映像信号変換部１６ａへのデジタル映像信号の出力が再開される。これにより、アナログ映像ブロック１６の機能が再開されて、アナログＡＶブロック１５の機能が再開される。その後、メイン制御部１０の制御が終了される。
【００５２】
また、ステップＳ２２において、アナログＡＶブロック１５の機能が停止していないと判断された一方、ステップＳ２７において、アナログ映像ブロック１６の機能が停止していると判断された場合（アナログ音声ブロック１７の機能は停止していない場合）には、メイン制御部１０により、上記したステップＳ２５およびステップＳ２６の制御が行われる。これにより、アナログ映像ブロック１６の機能が再開されて、アナログＡＶブロック１５の機能が再開される。その後、メイン制御部１０の制御が終了される。
【００５３】
また、アナログＡＶブロック１５およびアナログ映像ブロック１６のいずれの機能も停止していないと判断された場合には、アナログＡＶブロック１５の機能を再開させる必要がないため、メイン制御部１０の制御が終了される。この結果、再生装置１とテレビジョン装置２との接続が切断された際に、メイン制御部１０により、再生装置１におけるアナログＡＶブロック１５の機能が再開される制御が行われる。
【００５４】
本実施形態では、上記のように、アナログ映像ブロック１６の機能を停止する制御がメイン制御部１０により行われるように構成することによって、デジタルＡＶブロック１４からテレビジョン装置２へのデジタル映像信号の出力を確保しながら、アナログ映像信号の出力に関するアナログ映像ブロック１６の機能を停止させて消費電力を小さくすることができる。これにより、デジタルＡＶブロック１４とアナログ映像ブロック１６との両方を備える構成において、省電力化を図ることができる。
【００５５】
また、本実施形態では、上記のように、メイン制御部１０により、再生装置１のＨＤＭＩトランスミッタ１４ｃとテレビジョン装置２のＨＤＭＩトランスミッタ２１との接続が検知されたか否かが判断されるとともに、デジタルＡＶブロック１４での音声チャンネル数がアナログＡＶブロック１５での音声チャンネル数以上であると判断された場合に、メイン制御部１０により、アナログ映像ブロック１６の機能とアナログ音声ブロック１７の機能との両方が停止されるように構成することによって、デジタルＡＶブロック１４からテレビジョン装置２へのデジタル映像信号およびデジタル音声信号の出力を確保しながら、アナログ音声ブロック１７およびアナログ映像ブロック１６の両方の機能を停止させて消費電力を小さくすることができる。これにより、デジタルＡＶブロック１４とアナログ映像ブロック１６との両方を備える構成において、より効果的に省電力化を図ることができる。
【００５６】
また、本実施形態では、上記のように、デジタルＡＶブロック１４での音声チャンネル数がアナログＡＶブロック１５での音声チャンネル数以上であると判断された場合に、メイン制御部１０により、アナログ映像ブロック１６の機能とアナログ音声ブロック１７の機能との両方が停止されるように構成することによって、デジタルＡＶブロック１４での音声チャンネル数とアナログＡＶブロック１５での音声チャンネル数とに基づいて、容易に、アナログ音声信号を出力するか否かを判断することができる。
【００５７】
また、本実施形態では、上記のように、メイン制御部１０により、アナログ音声ブロック１７において出力可能であると設定された第１音声チャンネル数が、再生部１１により読み出されてアナログ音声ブロック１７に入力されるデジタル音声信号の第２音声チャンネル数以下である場合に、第１音声チャンネル数がアナログＡＶブロック１５での音声チャンネル数として用いられ、第１音声チャンネル数が第２音声チャンネル数より大きい場合に、第２音声チャンネル数がアナログＡＶブロック１５での音声チャンネル数として用いられるように構成することによって、第１音声チャンネル数と第２音声チャンネル数との両方を考慮することによって、より確実に、アナログ音声信号を出力するか否かを判断することができる。
【００５８】
また、本実施形態では、上記のように、メイン制御部１０により、テレビジョン装置２からのＥＤＩＤ信号に基づいて取得された、テレビジョン装置２において出力可能であると設定された音声チャンネル数がデジタルＡＶブロック１４での音声チャンネル数として用いられるように構成することによって、デジタルＡＶブロック１４での音声チャンネル数を容易に取得することができるので、容易に、アナログ音声信号を出力するか否かを判断することができる。
【００５９】
また、本実施形態では、上記のように、メイン制御部１０により、テレビジョン装置２の識別情報と、テレビジョン装置２に対する出力設定情報としてのアナログＡＶブロック１５の機能を停止するか否かの情報と、アナログ映像ブロック１６の機能を停止するか否かの情報とがフラッシュメモリ１３に記憶されるように構成することによって、デジタルＡＶブロック１４へのテレビジョン装置２の接続が再度検知された際に、アナログ音声信号を出力するか否かを再度判断することなく、フラッシュメモリ１３に記憶された出力設定情報およびテレビジョン装置２の識別情報に基づいて容易にアナログ音声ブロック１７の機能を停止させる制御を行うことができる。これにより、メイン制御部１０の処理負担を軽減することができる。
【００６０】
また、本実施形態では、上記のように、アナログＡＶブロック１５の機能停止を行うと選択された場合には、メイン制御部１０により、アナログ用音声信号制御部１７ａおよび映像信号制御部１４ｂへのデジタル音声信号およびデジタル映像信号の出力がそれぞれ停止され、電源回路部１２に対して、アナログ音声ブロック１７およびアナログ映像ブロック１６への電源供給を停止させるように構成することによって、アナログ音声ブロック１７およびアナログ映像ブロック１６への信号の出力の停止と電源供給の切断との両方を行って省電力化を図ることができる。
【００６１】
また、本実施形態では、上記のように、アナログ映像ブロック１６が、映像信号変換部１６ａと映像信号増幅部１６ｂとを含むように構成することによって、デジタルＡＶブロック１４からテレビジョン装置２へのデジタル映像信号の出力を確保しながら、映像信号変換部１６ａと映像信号増幅部１６ｂとの機能を停止させて省電力化を図ることができる。
【００６２】
また、本実施形態では、上記のように、アナログ音声ブロック１７が、アナログ用音声信号制御部１７ａと音声信号変換部１７ｂと音声増幅部１７ｃとを含むように構成することによって、デジタルＡＶブロック１４からテレビジョン装置２へのデジタル音声信号の出力を確保しながら、アナログ用音声信号制御部１７ａと音声信号変換部１７ｂと音声増幅部１７ｃとの機能を停止させて省電力化を図ることができる。
【００６３】
また、本実施形態では、上記のように、再生装置１とテレビジョン装置２との接続が切断された（検知されなくなった）際に、メイン制御部１０により、再生装置１におけるアナログＡＶブロック１５の機能が再開される制御が行われるように構成することによって、再生装置１とテレビジョン装置２とが切断された際に、アナログＡＶブロック１５に接続されたテレビジョン装置２および外付スピーカ３に、それぞれ、アナログ映像信号およびアナログ音声信号を自動的に出力することができるので、ユーザの操作負担を軽減することができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６５】
たとえば、上記実施形態では、本発明の音声映像出力機器を再生装置に適用する例について説明したが、本発明はこれに限られない。たとえば、本発明の音声映像出力機器を、再生装置とテレビジョン装置との間に配置され、ＨＤＭＩケーブルによって再生装置とテレビジョン装置との各々に接続されたパワーアンプに適用してもよいし、再生装置およびパワーアンプ以外の機器に本発明の音声映像出力機器を適用してもよい。また、パワーアンプに本発明の制御部を設けてもよい。
【００６６】
また、上記実施形態では、本発明の音声映像出力システムとして、デジタル信号出力部、アナログ信号出力部および制御部を全て再生装置に設ける例について説明したが、本発明はこれに限られない。たとえば、本発明のデジタル信号出力部およびアナログ信号出力部を再生装置に設ける一方、制御部をテレビジョン装置に設けることにより、音声映像出力システムを構成してもよい。
【００６７】
また、上記実施形態では、アナログＡＶブロックまたはアナログ映像ブロックの機能停止を行うか否かをユーザに選択させるための確認画面がテレビジョン装置の表示部に表示される例について説明したが、本発明はこれに限られない。本発明では、ユーザに確認を求めずに、自動的にアナログＡＶブロックまたはアナログ映像ブロックの機能停止を行うように構成してもよい。
【００６８】
また、上記実施形態では、メイン制御部により、アナログ音声（映像）ブロックへの信号の出力を停止するとともに、電源回路部に対して、アナログ音声（映像）ブロックへの電源供給を停止することにより、アナログ音声（映像）ブロックの機能を停止する例について説明したが、本発明はこれに限られない。本発明では、メイン制御部により、アナログ音声（映像）ブロックへの信号の出力を停止することと、電源回路部に対して、アナログ音声（映像）ブロックへの電源供給を停止することとのいずれか一方のみを行うことにより、アナログ音声（映像）ブロックの機能を停止してもよい。この場合であっても、省電力化を図ることが可能である。
【００６９】
また、上記実施形態では、アナログ音声ブロックのアナログ用音声信号制御部、音声信号変換部および音声増幅部への電源供給を停止させる制御が行われる例について説明したが、本発明はこれに限られない。本発明では、アナログ用音声信号制御部、音声信号変換部および音声増幅部のうちのいずれか１つまたは２つへの電源供給を停止させるように構成してもよい。
【００７０】
また、上記実施形態では、アナログ映像ブロックの映像信号変換部および映像信号増幅部への電源供給を停止させる制御が行われる例について説明したが、本発明はこれに限られない。本発明では、映像信号変換部および映像信号増幅部のうちのいずれか１つへの電源供給を停止させるように構成してもよい。
【００７１】
また、上記実施形態では、デジタルＡＶブロックでの音声チャンネル数とアナログＡＶブロックでの音声チャンネル数とを比較する例について説明したが、本発明はこれに限られない。本発明では、音声チャンネル数以外の要素に基づいて、デジタルＡＶブロックとアナログＡＶブロックとのうちの優先されるブロックを決定するように構成してもよい。たとえば、映画やニュースなどの再生コンテンツの種類に応じて優先されるブロックを決定するように構成してもよい。
【００７２】
また、上記実施形態では、再生装置とテレビジョン装置との接続が切断された際に、アナログＡＶブロックの機能が再開されるように構成する例について説明したが、本発明はこれに限られない。たとえば、再生装置とテレビジョン装置との接続が切断された際ではなく他の機器が接続された際に、アナログＡＶブロックの機能が再開させるように構成してもよい。
【００７３】
また、上記実施形態では、アナログ映像ブロックが映像信号変換部および映像信号増幅部を含む例について説明したが、本発明はこれに限られない。たとえば、アナログ映像ブロックは、映像信号変換部および映像信号増幅部以外に、デジタルＡＶブロックの映像信号制御部とは異なる映像信号制御部を別途有するように構成してもよい。
【００７４】
また、上記実施形態では、ＨＤＭＩケーブルにより再生装置とテレビジョン装置とが接続される例について説明したが、本発明はこれに限られない。たとえば、再生装置とテレビジョン装置とを、ＤＶＩ（Ｄｉｇｉｔａｌ  Ｖｉｄｕａｌ  Ｉｎｔｅｒｆａｃｅ）規格により接続してもよい。この場合、ＤＶＩ規格ではデジタル音声信号の出力はできないので、デジタル音声信号用の接続を再生装置とテレビジョン装置との間で別途行う必要がある。また、再生装置とテレビジョン装置とを、ＤＩＳＰＬＡＹ  ＰＯＲＴ規格により接続してもよいし、ＷｉＨＤ（Ｗｉｒｅｌｅｓｓ  Ｈｉｇｈ  Ｄｅｆｉｎｉｔｉｏｎ）規格により無線接続してもよい。
【００７５】
また、上記実施形態では、ＢＤ、ＨＤＤおよびＤＶＤなどの音声と映像とが記録された記録媒体を再生することが可能な再生装置を用いる例を示したが、本発明はこれに限られない。再生装置は、再生機能だけでなく録画機能を有する機器であってもよいし、ＶＨＳなどのアナログ信号として再生される記録媒体をデジタル信号化して出力可能な機器であってもよい。また、再生装置は、ＰＣであってもよい。
【００７６】
また、上記実施形態では、再生装置のアナログ音声ブロックに外付スピーカを接続する例を示したが、本発明はこれに限られない。たとえば、再生装置のアナログ音声ブロックにパワーアンプのアナログ音声入力部を接続してもよい。
【００７７】
また、上記実施形態では、説明の便宜上、本発明のメイン制御部の処理を制御処理フローに沿って順番に処理を行うフロー駆動型のフローチャートを用いて説明したが、本発明はこれに限られない。本発明では、メイン制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７８】
１  再生装置（音声映像出力機器）
２  テレビジョン装置（外部機器）
１０  メイン制御部（制御部）
１１  再生部
１３  フラッシュメモリ（記憶部）
１４  デジタルＡＶブロック（デジタル信号出力部）
１５  アナログＡＶブロック（アナログ信号出力部）
１６  アナログ映像ブロック（アナログ映像信号に関するアナログ信号出力部）
１６ａ  映像信号変換部
１６ｂ  映像信号増幅部
１７  アナログ音声ブロック（アナログ音声信号に関するアナログ信号出力部）
１００  音声映像出力システム
【図１】
2013207330.tif 000003
【図２】
2013207330.tif 000004
【図３】
2013207330.tif 000005
【図４】
2013207330.tif 000006
【図５】
2013207330.tif 000007
【図６】
2013207330.tif 000008
【図７】
2013207330.tif 000009
【図８】
2013207330.tif 000010
【図９】
2013207330.tif 000011